(57)【要約】【課題】  使い勝手がよく、プラントデータを長期間利用することが可能なプラントデータバックアップ技術を提供する。【解決手段】  プラント計算機から送られたプラントの運用履歴に依存するプラントデータを周期的に取り込んで記憶部に保存するプラントデータ管理サーバと、前記記憶部に保存されたプラントデータをバックアップするバックアップサーバとを接続すると共に、バックアップサーバにデータを保存する主記憶手段とリムーバブルな記憶メディアを有する補助記憶手段とを設ける。プラントデータ管理サーバにて、バックアップ時期に、記憶部に保存されているプラントデータのうち、データの種類に応じて設定された過去の所定期間のプラントデータをバックアップサーバへ送出し、この送出したデータの格納領域を新規なプラントデータのために利用可能とする。また、バックアップサーバにて、プラントデータ管理サーバから送出されたプラントデータの少なくとも一部を補助記憶手段にそのまま保存すると共に、間引いて主記憶手段に保存する。【選択図】        図１
2005276075.tif 000002
【特許請求の範囲】
【請求項１】
プラント計算機から送られたプラントの運用履歴に依存するプラントデータを周期的に取り込んで記憶部に保存するプラントデータ管理サーバと、前記プラントデータ管理サーバに接続され、前記記憶部に保存された前記プラントデータをバックアップするバックアップサーバとを有して構成されるプラントデータバックアップシステムにおいて、
前記プラントデータ管理サーバは、前記プラントデータのバックアップ時期か否かを判定する判定手段と、前記判定手段により前記バックアップ時期であると判定された場合に、前記記憶部に保存されている前記プラントデータのうち、データの種類に応じて設定された過去の所定期間のプラントデータを抽出して前記バックアップサーバへ送出するデータ送出手段とを有し、
前記バックアップサーバは、データを保存する主記憶手段と、リムーバブルな記憶メディアを有する補助記憶手段とを備え、前記データ送出手段により送出された前記プラントデータの少なくとも一部を前記補助記憶手段にそのまま保存するフルデータバックアップ手段と、前記少なくとも一部のプラントデータを間引いて前記主記憶手段に保存する間欠データバックアップ手段とを有し、
前記プラントデータ管理サーバは、前記データ送出手段によるプラントデータの送出後に前記バックアップサーバへ送出したプラントデータの格納領域を前記プラント計算機から取り込む新規なプラントデータのために利用可能とする手段をさらに有することを特徴とするプラントデータバックアップシステム。
【請求項２】
前記プラントデータは、プラントの運用履歴に依存するアナログ履歴データとこのアナログ履歴データに基づいて演算された計算機データとからなり、
前記フルデータバックアップ手段および前記間欠データバックアップ手段は前記アナログ履歴データに対して実行され、
前記バックアップサーバは、前記データ送出手段によって送出された前記計算機データを前記主記憶手段にそのまま保存する手段をさらに有することを特徴とする請求項１記載のプラントデータバックアップシステム。
【請求項３】
プラント計算機から送られたプラントの運用履歴に依存するプラントデータを周期的に取り込んで記憶部に保存するプラントデータ管理サーバと、前記記憶部に保存された前記プラントデータをバックアップするバックアップサーバとを接続すると共に、前記バックアップサーバにデータを保存する主記憶手段とリムーバブルな記憶メディアを有する補助記憶手段とを備えて構成されたネットワークシステムを利用するプラントデータバックアップ方法において、
前記プラントデータ管理サーバにて、前記プラントデータのバックアップ時期か否かを判定する工程と、前記プラントデータのバックアップ時期であると判定された場合に、前記記憶部に保存されている前記プラントデータのうち、データの種類に応じて設定された過去の所定期間のプラントデータを抽出して前記バックアップサーバへ送出する工程と、プラントデータの送出後に前記バックアップサーバへ送出したデータの格納領域を前記プラント計算機から取り込む新規なプラントデータのために利用可能とする工程とを含み、
前記バックアップサーバにて、前記プラントデータ管理サーバから送出された前記プラントデータの少なくとも一部を前記補助記憶手段にそのまま保存すると共に、前記少なくとも一部のプラントデータを間引いて前記主記憶手段に保存するバックアップ工程を含むことを特徴とするプラントデータバックアップ方法。
【請求項４】
前記プラントデータは、プラントの運用履歴に依存するアナログ履歴データとこのアナログ履歴データに基づいて演算された計算機データとからなり、
前記バックアップ工程は、前記アナログデータに対して行われ、前記計算機データに対しては、前記バックアップサーバにて、前記主記憶装置にそのまま保存させる工程が前記バックアップ工程の前後のいずれかに付加される
ことを特徴とする請求項３記載のプラントデータバックアップ方法。
【請求項５】
プラント計算機から送られたプラントの運用履歴に依存するプラントデータを周期的に取り込んで記憶部に保存するプラントデータ管理サーバと、前記プラントデータ管理サーバに接続され、前記記憶部に保存された前記プラントデータをバックアップするバックアップサーバとを有し、前記バックアップサーバにデータを保存する主記憶手段とリムーバブルな記憶メディアを有する補助記憶手段とを設けて構成されたシステムを利用してプラントデータをバックアップするためのコンピュータ読み取り可能なバックアップ制御プログラムにおいて、
前記プラントデータ管理サーバに、前記プラントデータのバックアップ時期か否かを判定させる機能と、前記プラントデータのバックアップ時期であると判定された場合に、前記記憶部に保存されている前記プラントデータのうち、データの種類に応じて設定された過去の所定期間のプラントデータを抽出して前記バックアップサーバへ送出させる機能と、プラントデータの送出後に前記バックアップサーバへ送出したデータの格納領域を前記プラント計算機から取り込む新規なプラントデータのために利用可能とする機能とを実現させ、
前記バックアップサーバに、前記プラントデータ管理サーバから送出された前記プラントデータの少なくとも一部を前記補助記憶手段にそのまま保存させる共に、前記少なくとも一部のプラントデータを間引いて前記主記憶手段に保存させるバックアップ機能を実現させるためのバックアップ制御プログラム。
【請求項６】
前記プラントデータは、プラントの運用履歴に依存するアナログ履歴データとこのアナログ履歴データに基づいて演算された計算機データとからなり、
前記アナログ履歴データに対して前記バックアップ機能を実現させ、
前記計算機データに対して、前記バックアップサーバに、前記プラントデータ管理サーバから送出されたものを前記主記憶装置にそのまま保存させる機能をさらに実現させることを特徴とする請求項５記載のバックアップ制御プログラム。
【請求項７】
前記請求項５又は６に記載のプログラムを記憶したコンピュータ読み取り可能な記憶媒体。
【発明の詳細な説明】
【技術分野】
【０００１】
この発明は、火力発電プラントなどのようにプラント計算機から送出されるプラントの運用履歴に依存するプラントデータを長期間利用するために適したプラントデータバックアップ技術に関する。
【背景技術】
【０００２】
火力発電プラント等のプラントにあっては、プラントの運用管理を行うためにプラント状態を把握する必要があり、プラント計算機で収集、演算されたプラントの運用履歴に依存するプラントデータを例えば１分周期でプラントデータ管理サーバに取り込んでいる。このため、プラントデータ管理サーバの記憶部には、膨大なプラントデータが保存されることになるので、記憶部の容量を十分に設定した場合でも、早期に限界に達する不都合がある。
【０００３】
このため、従来にあっては、プラントデータ管理サーバの記憶部に格納されたプラントデータを磁気テープにバックアップしたり、特許文献１などを利用して、バックアップサーバを接続し、バックアップを実行してプラントデータ管理サーバ内のプラントデータを
バックアップサーバに移すこと等が考えられている。
【０００４】
【特許文献１】特許第２９３８８６０号特許公報
【発明の開示】
【発明が解決しようとする課題】
【０００５】
しかしながら、プラントデータの全てを磁気テープにバックアップする場合には、過去のプラントデータを調べる場合に非常に手間がかかり、使い勝手が悪い等の不都合がある。また、バックアップサーバを利用する場合においてもプラントデータ管理サーバからプラントデータを単にデータを移すだけであるので、十分な保存期間を確保できない不都合がある。
【０００６】
そこで、この発明は、上述のような事情に鑑みてさなれたものであり、使い勝手がよく、プラントデータを長期間利用することが可能なプラントデータバックアップシステム及びバックアップ方法、並びにバックアップ制御プログラム及びこれを記憶した記憶媒体を提供することを主たる課題としている。
【課題を解決するための手段】
【０００７】
上記課題を達成するために、この発明に係るプラントデータバックアップシステムは、プラント計算機から送られたプラントの運用履歴に依存するプラントデータを周期的に取り込んで記憶部に保存するプラントデータ管理サーバと、前記プラントデータ管理サーバに接続され、前記記憶部に保存された前記プラントデータをバックアップするバックアップサーバとを有して構成されるものであり、前記プラントデータ管理サーバは、前記プラントデータのバックアップ時期か否かを判定する判定手段と、前記判定手段により前記バックアップ時期であると判定された場合に、前記記憶部に保存されている前記プラントデータのうち、データの種類に応じて設定された過去の所定期間のプラントデータを抽出して前記バックアップサーバへ送出するデータ送出手段とを有し、前記バックアップサーバは、データを保存する主記憶手段と、リムーバブルな記憶メディアを有する補助記憶手段とを備え、前記データ送出手段により送出された前記プラントデータの少なくとも一部を前記補助記憶手段にそのまま保存するフルデータバックアップ手段と、前記少なくとも一部のプラントデータを間引いて前記主記憶手段に保存する間欠データバックアップ手段とを有し、前記プラントデータ管理サーバは、前記データ送出手段によるプラントデータの送出後に前記バックアップサーバへ送出したプラントデータの格納領域を前記プラント計算機から取り込む新規なプラントデータのために利用可能とする手段をさらに有することを特徴としている（請求項１）。
【０００８】
ここで、プラントデータは、プラントの運用履歴に依存するアナログ履歴データやこのアナログ履歴データに基づいて演算された計算機データ等をいう。また、バックアップ時期は、定期的な時期であっても不定期な時期であってもよく、定期的なバックアップ時期としては、例えば、毎月所定日の所定時刻などをいう。さらに、プラントデータの種類に応じて設定された過去の所定期間のプラントデータとは、例えば、プラントデータを、プラントの運用履歴に依存するアナログ履歴データとこのアナログ履歴データに基づいて演算された計算機データとで構成する場合には、アナログ履歴データであれば、２年を経過しようとする１ヶ月分のプラントデータを、計算機データであれば５年を経過しようとする１ヶ月分のプラントデータ等をいう。また、リムーバブルな記憶メディアを有する補助記憶装置としては、例えば、ＤＶＤなどが該当する。
【０００９】
さらに、プラントデータを、プラントの運用履歴に依存するアナログ履歴データとこのアナログ履歴データに基づいて演算された計算機データとにより構成する場合には、前記フルデータバックアップ手段および前記間欠データバックアップ手段をアナログ履歴データに対して実行し、バックアップサーバは、前記データ送出手段によって送出された前記計算機データを主記憶手段にそのまま保存する手段をさらに有するように構成してもよい（請求項２）。
【００１０】
また、上記課題を達成するために、本発明に係るプラントデータバックアップ方法は、プラント計算機から送られたプラントの運用履歴に依存するプラントデータを周期的に取り込んで記憶部に保存するプラントデータ管理サーバと、前記記憶部に保存された前記プラントデータをバックアップするバックアップサーバとを接続すると共に、前記バックアップサーバにデータを保存する主記憶手段とリムーバブルな記憶メディアを有する補助記憶手段とを備えて構成されたネットワークシステムを利用する方法であり、前記プラントデータ管理サーバにて、前記プラントデータのバックアップ時期か否かを判定する工程と、前記プラントデータのバックアップ時期であると判定された場合に、前記記憶部に保存されている前記プラントデータのうち、データの種類に応じて設定された過去の所定期間のプラントデータを抽出して前記バックアップサーバへ送出する工程と、プラントデータの送出後に前記バックアップサーバへ送出したデータの格納領域を前記プラント計算機から取り込む新規なプラントデータのために利用可能とする工程とを含み、前記バックアップサーバにて、前記プラントデータ管理サーバから送出された前記プラントデータの少なくとも一部を前記補助記憶手段にそのまま保存すると共に、前記少なくとも一部のプラントデータを間引いて前記主記憶手段に保存するバックアップ工程を含むことを特徴としている（請求項３）。
【００１１】
ここで、プラントデータが、プラントの運用履歴に依存するアナログ履歴データとこのアナログ履歴データに基づいて演算された計算機データとから構成される場合には、前記バックアップ工程は、前記アナログデータに対して行われ、前記計算機データに対しては、前記バックアップサーバにて、前記主記憶装置にそのまま保存させる工程を前記バックアップ工程の前後のいずれかに付加して行うようにしてもよい（請求項４）。
【００１２】
さらに、上記課題を達成するために、本発明に係るコンピュータ読み取り可能なバックアップ制御プログラムは、プラント計算機から送られたプラントの運用履歴に依存するプラントデータを周期的に取り込んで記憶部に保存するプラントデータ管理サーバと、前記プラントデータ管理サーバに接続され、前記記憶部に保存された前記プラントデータをバックアップするバックアップサーバとを有し、前記バックアップサーバにデータを保存する主記憶手段とリムーバブルな記憶メディアを有する補助記憶手段とを設けて構成されたシステムを利用してプラントデータをバックアップするためのものであり、前記プラントデータ管理サーバに、前記プラントデータのバックアップ時期か否かを判定させる機能と、前記プラントデータのバックアップ時期であると判定された場合に、前記記憶部に保存されている前記プラントデータのうち、データの種類に応じて設定された過去の所定期間のプラントデータを抽出して前記バックアップサーバへ送出させる機能と、プラントデータの送出後に前記バックアップサーバへ送出したデータの格納領域を前記プラント計算機から取り込む新規なプラントデータのために利用可能とする機能とを実現させ、前記バックアップサーバに、前記プラントデータ管理サーバから送出された前記プラントデータの少なくとも一部を前記補助記憶手段にそのまま保存させる共に、前記少なくとも一部のプラントデータを間引いて前記主記憶手段に保存させるバックアップ機能を実現させるものであることを特徴としている（請求項５）。
【００１３】
ここで、プラントデータが、プラントの運用履歴に依存するアナログ履歴データとこのアナログ履歴データに基づいて演算された計算機データとから構成される場合には、前記バックアップ制御プログラムは、アナログ履歴データに対して前記バックアップ機能を実現させ、計算機データに対して、前記バックアップサーバに、プラントデータ管理サーバから送出されたデータを主記憶装置にそのまま保存させる機能をさらに実現させてもよい（請求項６）。
【００１４】
尚、上述したプログラムは、コンピュータ読み取り可能な記憶媒体に格納されて提供されてもよいし（請求項７）、有線または無線による通信手段を介して配信されてもよい。
【発明の効果】
【００１５】
以上述べたように、本発明によれば、バックアップ時期に、プラントデータ管理サーバにおいては、記憶部に保存されているプラントデータのうち、データの種類に応じて設定された過去の所定期間のプラントデータを抽出してバックアップサーバへ送出し、バックアップサーバへ送出したデータの格納領域をプラント計算機から取り込む新規なプラントデータのために利用可能とし、また、バックアップサーバにおいては、プラントデータ管理サーバから送出されたプラントデータの少なくとも一部を、補助記憶手段にそのまま保存すると共に間引いて主記憶手段に保存するようにしたので、プラントデータ管理サーバで保存しきれない期間は、バックアップサーバに保存された間引いたプラントデータを利用することでプラントのおよその運転履歴を迅速に把握することが可能となり、仔細なデータを必要とする場合にのみ、リムーバブルな記憶メディアに記憶されたプラントデータを参照することが可能になるので、長期間のプラントデータを使い勝手よく利用することが可能となる。
【００１６】
また、プラントデータを、プラントの運用履歴に依存するアナログデータとこのアナログデータに基づいて演算された計算機データとに分け、アナログデータに対しては、間引いて主記憶装置に保存すると共に間引かずに補助記憶装置に保存し、計算機データに対しては、プラントデータ管理サーバからバックアップサーバへ出力されたものをそのまま主記憶装置に保存するようにすれば、データの種類に応じて保存形式を異ならせてそれぞれのデータを長期間利用することが可能となる。
【発明を実施するための最良の形態】
【００１７】
以下、この発明の最良の実施形態を添付図面を参照しながら説明する。
【００１８】
図１において、ボイラ、タービン、発電機から構成される火力発電プラント（ＢＴＧプラント）のプラントデータを管理するプラントデータ管理システムに本発明に係るプラントデータバックアップシステム及び方法を適用した構成例を示す。
【００１９】
プラントデータ管理システムは、プラントデータ管理サーバ２、制御室端末３、バックアップサーバ４などがネットワーク１を介して接続され、また、発電所ユニットネットワーク６に接続されたユニット計算機７ａ，７ｂや、発電所ユニットネットワーク６にゲートウェイプロセッサ（ＧＷＰ）８を介して接続された屋外設備用計算機９ａ，９ｂがゲートウエイサーバ５を介してネットワーク１に接続されている。
【００２０】
ここで、上述した各サーバ２，４や制御室端末３は、それぞれ、ＣＰＵ，ＲＯＭ，ＲＡＭ、外部記憶装置等を有する情報処理装置であり、これらサーバや端末に対する各種ソフトウエアは、記憶媒体から読み込まれるなどしてメモリに保持され、ＣＰＵにより実行される。また、ユニット計算機７ａ，７ｂや屋外設備用計算機９ａ，９ｂなどのプラント計算機は、発電所の発電設備に関する運転実績データ、即ちプラントの運用履歴に依存するプラントデータを収集・演算しており、これらプラントデータをゲートウエイサーバ５を介してプラントデータ管理サーバ２へ送出するようにしている。ここで、プラント計算機（ユニット計算機７ａ，７ｂ、屋外設備用計算機９ａ，９ｂ）から送出されるプラントデータは、各プラント計算機で収集されたプラントの運用履歴に依存するアナログ履歴データやこのアナログデータに基づいて演算された平均値、最大値、最小値などの計算機データを含んでいる。
【００２１】
ゲートウエイサーバ５は、各プラント計算機（ユニット計算機７ａ，７ｂ、屋外設備用計算機９ａ，９ｂ）から送出されたプラントデータ（アナログ履歴データ、計算機データ）を受信・選別すると共に一時的に保存し、アナログ履歴データと計算機データとを例えば１分周期でプラントデータ管理サーバ２へ送出するようにしている。
【００２２】
プラントデータ管理サーバ２は、プラントデータを収集して一定期間保存するようにしているもので、図２に示されるように、バックアップサーバ４や、制御室端末３、ゲートウエイサーバ５などとの間の通信を制御する入出力部２ａと、ゲートウエイサーバ５から入出力部２ａを介して取り込まれたプラントデータを格納するデータ記憶部２ｂと、メモリに与えられた所定の制御プログラムにしたがってプラントデータの入出力制御や管理などを行う制御部２ｃとを有している。
【００２３】
ここで、制御部２ｃは、バックアップ時期か否かを判定するバックアップ時期判定手段２c1と、バックアップ時期にバックアップの対象となるプラントデータをデータ記憶部２ｂに格納されたプラントデータから抽出するバックアップデータ送出手段２c2とを備えており、ゲートウエイサーバ５から送られるプラントデータを取り込んでデータ記憶部２ｂに格納すると共に、データ記憶部２ｂに格納されたプラントデータの中からバックアップするプラントデータを抽出して入出力部２ａを介してバックアップサーバ４へ送出するようにしている。尚、データ記憶部２ｂは、アナログ履歴データを約２年分、計算機データを約５年分格納することができる容量を有している。
【００２４】
バックアップサーバ４は、プラントデータ管理サーバ２から送出されたプラントデータを長期間保存するもので、プラントデータ管理サーバ２や制御室端末３などとの間の通信を制御する入出力部４ａと、プラントデータ管理サーバから出力されたバックアップ対象データを入出力部４ａを介して取り込み、一時的に保存するデータ記憶部４ｂと、メモリに与えられた所定の制御プログラムにしたがってプラントデータの入出力制御や管理などを行う制御部４ｃとを有している。
【００２５】
ここで、制御部４ｃは、データ記憶部４ｂに一時的に記憶されたバックアップ対象データを所定の周期（例えば２０分周期）に間引いてデータ記憶部４ｂの別の領域に記憶させる間欠データバックアップ処理手段４c1と、データ記憶部に一時的に記憶されたバックアップ対象データを間引かずにＤＶＤなどのリムーバブルな記憶メディアを有する補助記憶装置１０に移動させるフルデータバックアップ処理手段４c2と、補助記憶装置１０を介してリムーバブルな記憶メディアに格納されたプラントデータをデータ記憶部にリストアするリストア手段４c3とを備えており、バックアップ時期にプラントデータ管理サーバ２で抽出されたバックアップ対象データをデータ記憶部４ｄと補助記憶装置１０とに記憶させるようにしている。
【００２６】
尚、データ記憶部４ｄは、間引いたアナログ履歴データを約３０年分、計算機データを約３０年分、それぞれ格納することができ得る容量を有している。また、ＤＶＤなどのリムーバブルな記憶メディアを有する補助記憶装置１０は、アナログ履歴データを間引かずに約２ヶ月分格納することができ得る容量を有している。また、プラントデータ管理サーバ２のデータ記憶部に格納されたプラントデータや、バックアップサーバ４のデータ記憶部に格納されたプラントデータ、及び、補助記憶装置１０にセットされたリムーバブルな記憶メディアに記録されているプラントデータは、制御室端末３などの専用端末で見ることができるようになっている。
【００２７】
以上のデータ処理のプロセスは、例えば、プラントデータ管理サーバやバックアップサーバで読み取ることが可能なバックアップ制御プログラムをＣＤ−Ｒ等の記憶媒体を介して供給することにより、或いは、ネットワークを介して各サーバに配信することによってインストールし、このインストールされた制御プログラムを実行させることで行われるもので、以下において、プラントデータ管理サーバ２やバックアップサーバ４で行われるデータ処理例を図３に示すフローチャートを参照しながら説明する。
【００２８】
先ず、プラントデータ管理サーバ２において、プラント計算機側から１分周期のアナログ履歴データと計算機データが入力された否かを判定し（Ｓ０１Ｐ）、入力されたと判定された場合には、これらデータをデータ収集日時と関連づけてデータ記憶部に格納する（Ｓ０２Ｐ）。
【００２９】
その後、バックアップ時期か否かが判定され（Ｓ０３Ｐ）、バックアップ時期でないと判定された場合には、以下述べるバックアップ処理を行わず、上述した処理ルーチンを所定の間隔で繰返し行う。バックアップ時期は、例えば、毎月第１土曜日の午後１２時に設定されており、したがって、この時期がくるまで、プラントデータ管理サーバ２のデータ記憶部２ｂには、アナログ履歴データと計算機データとが１分周期で蓄積されることになる。
【００３０】
Ｓ０３でバックアップ時期であると判定された場合には、データ記憶部２ｂに記憶されたプラントデータの一部がバックアップサーバ４にバックアップされる。
具体的には、データ記憶部２ｂに記憶されたアナログ履歴データのうち、２年前の１ヶ月分のアナログ履歴データ（１年１１ヶ月以前の１ヶ月分のデータ）をバックアップサーバ４へ送信し（Ｓ０４Ｐ）、このバックアップの対象となるアナログ履歴データ（バックアップ対象アナログ履歴データ）を格納するテーブルを新規アナログ履歴データの読み込み用に再構成し（Ｓ０５Ｐ）、データ記憶部２ｂに記憶された計算機データのうち、５年前の１ヶ月分のアナログ履歴データ（４年１１ヶ月以前の１ヶ月分のデータ）をバックアップサーバ４へ送信し（Ｓ０６Ｐ）、このバックアップの対象となる１ヶ月分の計算機データ（バックアップ対象計算機データ）をデータ記憶部２ｂから削除する（Ｓ０７Ｐ）。
【００３１】
このようなプラントデータ管理サーバ２での処理を受けて、バックアップサーバ４では、２年前の１ヶ月分のアナログ履歴データが入力されたか否かが判定され（Ｓ０１Ｂ）、入力されたと判定された場合には、２年前の１ヶ月分のアナログ履歴データをデータ記憶部４ｂにバックアップする（Ｓ０２Ｂ）。
【００３２】
そして、バックアップした１ヶ月分のアナログ履歴データを一時的にリストアし（Ｓ０３Ｂ）、このバックアップされた１ヶ月分のアナログ履歴データを２０分周期で間引いてデータ記憶部４ｂの別のテーブルに格納する（Ｓ０４Ｂ）。また、一時的にリストアされたアナログ履歴データを間引かずにそのまま補助記憶装置１０であるＤＶＤに移動させる（Ｓ０５Ｂ）。
【００３３】
その後、バックアップサーバ４では、５年前の１ヶ月分の計算機データが入力されたか否かが判定され（Ｓ０６Ｂ）、入力されたと判定された場合には、５年前の１ヶ月分のアナログ履歴データをデータ記憶部４ｂにバックアップする（Ｓ０７Ｂ）。
【００３４】
このようにして、プラントデータ管理サーバに格納されたプラントデータのデータ総容量がプラントデータ管理サーバのメモリ容量の限界に近くなると、最も古い１ヶ月分のプラントデータがバックアップサーバ４に移され、アナログ履歴データにあっては間引いた状態でデータ記憶部４ｂに保存されると共にＤＶＤに間引かずに保存されるので、直近２年分のデータはプラントデータ管理サーバ２のデータ記憶部２ｂにアクセスすることによって得ることができ、２年を経過した分においても、バックアップサーバのデータ管理部にアクセスすることで間引いたプラントデータを得ることが可能となる。そして、間引いたプラントデータでは不十分である場合には、対応する期間のフルデータを収録したＤＶＤメディアを補助記憶装置１０にセットし、制御室端末３などから希望する時期のプラントデータを取得することが可能となる。
【００３５】
よって、プラントデータ管理サーバ２によっては十分に遡った期間のプラントデータを利用することができなかったが、さらに３０年間に亘ってプラントデータを利用することが可能となる。また、２年以前のプラントデータにあっても、間引いたプラントデータによってプラントのおよその履歴を迅速に把握することが可能となり、仔細なデータを必要とする場合にのみ、リムーバブルな記憶メディアに記憶されたプラントデータを参照することができるので、使い勝手のいいバックアップシステムを構築することが可能となる。
【００３６】
尚、上述の構成においては、間引く周期を例えば２０分周期としたが、ゲートウエイサーバから送出されるプラントデータの周期（１分）よりも長い周期であればよい。また、上述の構成においては、リムーバブルな記憶メディアを有する補助記憶装置としてＤＶＤを利用した例を示したが、リムーバブルな記憶メディアを有する他の装置で代替させてもよい。
【図面の簡単な説明】
【００３７】
【図１】図１は、本発明に係るプラントデータバックアップシステムを利用した火力発電プラントの例を示すブロック図である。
【図２】プラントデータ管理サーバとバックアップサーバとの構成例を示すブロック図である。
【図３】図３は、プラントデータ管理サーバとバックアップサーバとによるプラントデータの処理例を説明するフローチャートである。
【符号の説明】
【００３８】
２  プラントデータ管理サーバ
４  バックアップサーバ
７ａ，７ｂ  ユニット計算機
９ａ，９ｂ  屋外設備用計算機
１０  補助記憶装置
【図１】
2005276075.tif 000003
【図２】
2005276075.tif 000004
【図３】
2005276075.tif 000005